【事件の表示】
　特願２００９−２８４６１６「パチンコ遊技機の島設備」拒絶査定不服審判事件〔平成２３年　６月３０日出願公開、特開２０１１−１２５４１１、請求項の数（３）〕について、次のとおり審決する。
【結　論】
　原査定を取り消す。
　本願の発明は、特許すべきものとする。
【理　由】
１　手続の経緯
　本願は、平成２１年１２月１６日の出願であって、平成２４年３月２８日付けで拒絶理由通知がなされ、この通知に対して、同年６月１日に手続補正がなされたが、平成２５年３月８日付けで拒絶査定がなされ、これに対し、同年６月１２日に拒絶査定不服審判請求がなされるとともに、これと同時に手続補正がなされたものである。
　
２　平成２５年６月１２日付けの手続補正（以下「本件補正」という。）の適否
（１）補正の内容
　本件補正は、明細書を補正するとともに、特許請求の範囲を以下のとおり補正するものである。
　
「【請求項１】
　複数のパチンコ遊技機が並設されたパチンコ遊技機の島設備において、
　前記パチンコ遊技機を載置可能とするとともに前後方向に摺動して当該パチンコ遊技機の傾斜角度を任意に調整可能な載置手段を具備して構成され、当該載置手段は、並設された各パチンコ遊技機に対応してそれぞれ独立して配設されるとともに、前記パチンコ遊技機と共に当該パチンコ遊技機から排出された遊技球を受け得るアウトボックスが固定されたことを特徴とするパチンコ遊技機の島設備。
【請求項２】
　前記載置手段の摺動動作を操作する操作手段を具備するとともに、当該操作手段の操作部が前記パチンコ遊技機の背面側に形成されたことを特徴とする請求項１記載のパチンコ遊技機の島設備。
【請求項３】
　前記載置手段の摺動動作を操作する操作手段を具備するとともに、当該操作手段の操作部が前記パチンコ遊技機の前面側に形成されたことを特徴とする請求項１記載のパチンコ遊技機の島設備。」（以下「本願発明１」ないし「本願発明３」という。）
　
（２）補正の適否
　本件補正は、願書に最初に添付した明細書、特許請求の範囲又は図面に記載した事項の範囲内においてしたものであり、特許法第１７条の２第３項の規定に適合する。
　本件補正における特許請求の範囲の補正は、補正前の請求項１を削除したものであって、当該補正は、特許法第１７条の２第５項第１号の請求項の削除を目的とするものに該当する。また、同第４項に違反するところはない。
　よって、本件補正は、特許法第１７条の２第３項ないし第５項の規定に適合する。
　
３　本願発明
　本件補正は上記のとおり、特許法第１７条の２第３項ないし第５項の規定に適合するから、本願の請求項１ないし３に係る発明は、本件補正により補正された特許請求の範囲の請求項１ないし３に記載された事項により特定されるとおりのものと認められる。
　
４　刊行物の記載
（１）原査定の拒絶の理由に引用された、本願出願前に頒布された刊行物である特開平９−２９９５８８号公報（以下「引用文献１」という。）には、以下の記載がある（下線は当審にて付した。）。
　
　ア　「【請求項１】複数の遊技機とその関連設備とを備え、関連設備がそれぞれ内設された島下段と島上段との間に、前記複数の遊技機を島長手方向に延びる列をなすよう配置して成る遊技機島において、
　島上段の下端面をなすよう島長手方向に延びる支持基板に、島奥行方向に延びるガイド孔を所定間隔おきに複数設け、各ガイド孔に、それぞれ上下方向に移動可能に延びる上下位置調整用スクリューを挿通させ、
　前記各上下位置調整用スクリューの途中に、それぞれ可動ナットを螺合させ、各可動ナットに、前記各ガイド孔に沿ってそれぞれ移動可能に延びる奥行位置調整用スクリューの一端側を押引き可能に連結し、各奥行位置調整用スクリューの他端側を、前記支持基板に所定間隔おきに複数固設した各固定ナットにそれぞれ回転操作可能に螺合させ、
　前記各ガイド孔より下方に延出した各上下位置調整用スクリューの下端間に、島長手方向に沿って延び各遊技機の上端に設けたスライダが島奥行方向に回動可能かつ島長手方向に移動可能に係合する遊技機吊下用レールを架設したことを特徴とする遊技機島。」
　
　イ　「【０００２】
【従来の技術】従来、この種の遊技機島では、遊技店内の配置場所にて先ずフレーム材から島全体のフレーム構造をなす枠組が構築される。枠組下段の上端面をなすよう組み付けられた天板上に、複数のパチンコ機や球貸機が島長手方向に列をなすよう配設される。天板上に位置する枠組中段内は、パチンコ機や球貸機に対応させてフレーム材で個々の取付けスペースに仕切られており、各取付けスペース毎に順次、パチンコ機や球貸機を島前方より嵌め込むようにしてボルト等で固定していた。
【０００３】ところで最近のパチンコ機は、ゲーム性を高めたり面白みを増すために中央役物にＣＲＴを使うものが多く、このようなＣＲＴやその関連器機等の役物部品は、パチンコ機の背面側にかなり出っ張る傾向にある。しかも、メーカーや機種によって、各パチンコ機毎に役物部品の位置や大きさはかなり異なるため、当然、個々のパチンコ機の最大奥行幅も違ってくる。
【０００４】
【発明が解決しようとする課題】しかしながら、前述したような従来の遊技機島では、枠組内にて区分けされた取付けスペース毎にパチンコ機を組み付けるから、厳密な精度が要求されるとともに、最初から最良の位置にパチンコ機を組み付けるのは極めて難しかった。しかも、いったんパチンコ機を枠組内に固定した後は、パチンコ機の島奥行方向における取付位置に誤差が生じたり、あるいは取付位置を島奥行方向に多少変更したいような場合でも、パチンコ機の位置を調整し直すことは面倒であった。
【０００５】例えば当初の予想に反して、パチンコ機の役物部品が後方に大きく出っ張ってしまい、パチンコ機の背面側にある他物体（例えば、枠組自体）と干渉しても、これらの不都合を回避するよう取付け後にパチンコ機の位置調整することは非常に手間がかかる作業であった。
【０００６】また、パチンコ機の横幅や高さ寸法もメーカーや機種によって異なるため、これらの規格寸法が当初設定された取付けスペースの開口面積に合致しないこともあり、もはや位置調整などできない枠組のフレーム材が、却ってパチンコ機の組付け作業の邪魔になる虞れもあった。更に、パチンコ機の固定後に、その遊技盤面の傾斜角度を多少調整し遊技の難易度に変化をもたらすようなことは極めて困難であった。
【０００７】本発明は、以上のような従来技術の有する問題点に着目してなされたもので、島中段における遊技機の組付け作業が容易となり、しかも各遊技機の取付け後でも容易に位置調整することができ、また各遊技機の傾斜角度も調整することができる遊技機島を提供することを目的とする。」
　
　ウ　「【０００８】
【課題を解決するための手段】前述した目的を達成するための本発明の要旨とするところは、以下の各項に存する。
【０００９】１　
複数の遊技機（１１）とその関連設備とを備え、関連設備がそれぞれ内設された島下段（１０Ｃ）と島上段（１０Ａ）との間に、前記複数の遊技機（１１）を島長手方向に延びる列をなすよう配置して成る遊技機島（１０）において、島上段（１０Ａ）の下端面をなすよう島長手方向に延びる支持基板（４０）に、島奥行方向に延びるガイド孔（４１）を所定間隔おきに複数設け、各ガイド孔（４１）に、それぞれ上下方向に移動可能に延びる上下位置調整用スクリュー（４２）を挿通させ、前記各上下位置調整用スクリュー（４２）の途中に、それぞれ可動ナット（４３）を螺合させ、各可動ナット（４３）に、前記各ガイド孔（４１）に沿ってそれぞれ移動可能に延びる奥行位置調整用スクリュー（４４）の一端側を押引き可能に連結し、各奥行位置調整用スクリュー（４４）の他端側を、前記支持基板（４０）に所定間隔おきに複数固設した各固定ナット（４５）にそれぞれ回転操作可能に螺合させ、前記各ガイド孔（４１）より下方に延出した各上下位置調整用スクリュー（４２）の下端間に、島長手方向に沿って延び各遊技機（１１）の上端に設けたスライダ（１１ａ）が島奥行方向に回動可能かつ島長手方向に移動可能に係合する遊技機吊下用レール（４６）を架設したことを特徴とする遊技機島（１０）
　
　エ　「【００２６】
支持基板４０の要所には、角度調整部材４８が上下方向に移動可能に螺合している。角度調整部材４８も、上下位置調整用スクリュー４２と同様のスクリュー状部材であり、各パチンコ機１１上端のスライダ１１ａより後端縁側を押圧し得るように配されている
【００２７】すなわち、角度調整部材４８は、各パチンコ機１１上端の後端縁側を適度に押圧することにより、前記遊技機吊下用レール４６を回動中心とした各パチンコ機１１の傾き角度を調整するための部材である。上方ブラケット４７には、角度調整部材４８が相対的に島奥行方向に案内されるガイド溝４７ａが形成されている。なお、角度調整部材４８はスクリュー部材に限られるものではなく、各パチンコ機１１上端の後端縁側を押圧できるものであれば、カムやシリンダーによって構成してもよい。」
　
　オ　「【００３１】
島全体の土台となる下段ユニット１０Ｃは、前後の腰部支持板２１，２１と、各腰部支持板２１の上端に略水平に設けられてパチンコ機１１が設置される前後の天板２２，２２を具備して成る
……
【００３５】島下段１０Ａの天板２２は、各パチンコ機１１の下端をその傾斜角度に応じて略水平面に対して変位可能に支持できるように構成されている。すなわち、図３及び図４に示すように、
島下段１０Ａの天板２２上に、弾性体としてのスプリング２３を介して上下方向に変位可能に設けられた載置レール２４から成る
【００３６】また、
載置レール２４の水平部２４ａの下面にはベアリング２６が取付けられており、載置レール２４は、次述する天板２２の上板２２ａ上を島長手方向及び島奥行方向にも移動できるようになっている
【００３７】図３に示すように、
天板２２の上層部は切り欠かれており、その上面にスプリング２３と上板２２ａが設けられている。スプリング２３の弾性変形により、上板２２ａ上の載置レール２４が支持するパチンコ機１１下端は、その傾斜角度に応じて略水平面に対して適宜変位できるように設定されている
　
　カ　「【００５０】各パチンコ機１１を適所に配置させた後、図１に示すように、上段ユニット１０Ａの支持基板４０に螺合する角度調整部材４８によりパチンコ機１１上端の後端縁側を適度に押圧すれば、パチンコ機１１は前記遊技機吊下用レール４６に嵌合しているスライダ１１ａを回動中心として確実に傾動するため、簡易な構成によりパチンコ機１１の傾き角度を容易に調整することができる。」
　
　キ　「【００５２】なお、前述した
上下の取付体間へのパチンコ機１１の取付け、位置調整および傾斜角度の調整は、個々のパチンコ機１１毎に１台ずつ行うように構成してもよい
　
　ク　図１ないし図３は、以下のとおりのものである。
　
　
（２）原査定の拒絶の理由に引用された、本願出願前に頒布された刊行物である特開２００７−３２５８５５号公報（以下「引用文献２」という。）には、以下の記載がある。
　
　ア　「【請求項１】
　遊技盤を保持する遊技本体と、前記遊技本体を内部で保持する外枠と、前記外枠の一部を構成しており前記遊技本体と前記外枠との前面下部の隙間を隠す幕板と、を備え、遊技場に設置した島設備の島枠内部に前記外枠が上部を所定位置に固定した状態で前記遊技盤が傾斜するように下部を前後にずらして取り付けられる遊技機において、
　前記外枠の下部に取り付けられる外枠取付け部材と、前記島枠の内部に取り付けられる島枠取付け部材と、前面から操作可能に設けられ操作することで前記外枠取付け部材を前記島枠取付け部材に対して前後方向に移動させる調整用操作部と、を有する傾き調整機構と、
　前記幕板に移動自在に設けられ、閉位置のときには前記調整用操作部を前面から遮蔽し、開位置のときに前記調整用操作部の前面から退避して前記調整用操作部を前方に露呈させる遮蔽部材と、
　を備えたことを特徴とする遊技機。」
　
　イ　「【００１６】
　外枠１２は、図３に示すように、遊技場の島設備に設けた島枠３０に固定される。島枠３０も縦長矩形枠になっており、外枠１２は島枠３０の内側に嵌め込まれて固定される。この固定は、外枠１２の上板１９が島枠３０の上板３１に釘やボルト等の固定手段で固定される。この固定箇所は予め左右二カ所の所定位置に決められている。なお、上側の固定箇所としては、左右二カ所に限らず、左右方向にずらして三カ所以上の位置を固定してもよい。その後、外枠１２の補強板１７と、島枠３０の下板３２とが２つの傾き調整機構３５により固定される。
【００１７】
　傾き調整機構３５は、図４及び図５に示すように、外枠取付け部材３６、島枠取付け部材３７、支柱４０、螺子穴４１、及び、螺子４２で構成されている。外枠取付け部材３６は、矩形の板形状になっており、平面を補強板１７の背面に密着した姿勢でビスやボルト等の固定手段により取り付けられる。なお、外枠取付け部材３６の取り付け位置としては、外枠１２の下部内側であれば補強板１７に限ることはない。また、島枠取付け部材３７は、矩形の板形状になっており、平面を島枠３０の下板３２に密着した姿勢で固定手段により取り付けられる。なお、島枠取付け部材３７の取り付け位置としては、島枠３０の内側であれば何処でも良い。
【００１８】
　この島枠取付け部材３７には、支柱４０が立設されており、この支柱４０には、螺子穴４１が略水平方向に沿って設けられている。螺子穴４１には、前方から螺子４２が螺合している。螺子４２は、螺子頭部４３とネジ部４４とで構成されている。螺子頭部４３には、先端に＋又は−溝４５が形成されており、また、後端に溝４６が形成されている。この溝４６は、全周に形成去れており、溝４６の隙間は、外枠取付け部材３６の厚みよりも僅かに長い長さになっている。この溝４６には、外枠取付け部材３６が僅かな遊びをもって取り付けられている。螺子頭部４３の先端は、補強板１７に設けた穴４７からパチンコ機１０の前方に向けて露呈している。これら穴４７は、遮蔽部材２６が閉じ位置のときに隠される。なお、外枠取付け部材３６や島枠取付け部材３７の形状としては、平板形状に限らず、周知の形状であればいずれの形状でもよい。
【００１９】
　＋又は−のドライバーで螺子頭部４３を回転操作することで、螺子穴４１に対してネジ部４４が前後方向に移動するので、外枠取付け部材３６も島枠取付け部材３７に対して前後方向に移動する。この螺子頭部４３が本発明の調整用操作部を構成する。なお、外枠１２の下板５０には、左右に切り欠き部５１が形成されており、島枠取付け部材３７は、それら切り欠き部５１を通して島枠３０の下板３２に固定されている。
【００２０】
　パチンコ機１０を島設備に取り付けるときには、外枠１２を島枠３０の内部に挿入し、その後に外枠１２に対して遊技本体１１を開いて外枠１２の内部を露呈する。そして、外枠１２の内側から釘やボルトで外枠１２の上板３１を島枠３０の上板３１に固定する。上側を固定した後には、下側を固定する。このとき、一対の傾き調整機構３５を切り欠き部５１にそれぞれ挿入し、島枠取付け部材３７を島枠３０の下板３２にボルトや釘で固定するとともに、外枠取付け部材３６を外枠１２の補強板１７の背面にボルトや釘で固定する。そして、一対の遮蔽部材２６を開き位置に開いた状態にしてから遊技本体１１を閉じ位置に移動する。これにより、遮蔽部材２６を開いているので、遊技本体１１を閉じても、補強板１７の穴４７を通して螺子頭部４３が露呈する。
【００２１】
　パチンコ機１０の前側から螺子頭部４３を＋又は−のドライバーで回転操作すると、図５に示すように、螺子４２が螺子穴４１に対して前又は後に移動し、これに追従して外枠取付け部材３６が島枠取付け部材３７に対して前又は後方向に移動する。これにより、外枠１２の下板５０が上板１９に対して前又は後方向に移動して、遊技盤１４の面の傾斜を調節することができる。」
　
　ウ　図３ないし図５は、以下のとおりのものである。
　
　
（３）原査定の拒絶の理由に引用された、本願出願前に頒布された刊行物である実願平４−８７６７５号（実開平６−４４５８８号）のＣＤ−ＲＯＭ（以下「引用文献３」という。）には、以下の記載がある。
　
　ア　「【請求項１】　適当な間隔で並設した縦支柱に上部添板と下部添板を横方向に平行に配設し、その両添板間に多数のパチンコ機を設置してなるパチンコ機設置島において、
前記下部添板の上面に各パチンコ機から排出されるアウト球を受け入れて１個ずつ電気的に検出しながら排出するアウト球タンク取付用の台板を固定し、
該台板には、パチンコ機の側枠の下部後面に対向する垂直状の支持片を設けると共に、該支持片に傾斜調節具を取付け、
パチンコ機の側枠の下部後面を傾斜調節具に当接させることにより各パチンコ機を所定角度に傾斜した状態で設置し得るように構成したことを特徴とするパチンコ機設置島におけるパチンコ機の取付構造。」
　
　イ　「【０００９】
  ９はパチンコ機５一台ごとに対応するように下部添板４の上面に固着されたアウト球タンク取付用の台板であって、この台板９は図２に示すように厚み１〜２ｍｍ程度の細帯板状の金属板で作られ、その横方向の長さがアウト球タンク１０とほぼ等しい長さに選ばれる。アウト球タンク１０は、パチンコ機５から排出されるアウト球を受けて１個ずつ電気的に検出しながらパチンコ機設置島１の下方に排出するものである。
　　　【００１０】
  前記、台板９の両端はほぼコ字形に折曲げられてアウト球タンク１０の脚部１０ａ，１０ａ下端を差し込むための溝部１１，１１が形成され、さらに前端縁にはパチンコ機５の側枠５ａの下部後面に対峙する垂直状の支持片１２が一体に形成されている。そして、支持片１２の左右の側部には傾斜調節具の一例としてのボルト部材１３，１３が取付けられている。このボルト部材１３，１３は支持片１２に穿設したねじ孔１４，１４に螺合されて回動により前後方向へ進退自在に設けられている。
　　　【００１１】
  図３および図４にはパチンコ機設置島１の台設置空間にパチンコ機５を取付けた状態が示されている。その取付けは、まずパチンコ機５の側枠５ａを台設置空間に前面側から嵌めて該側枠５ａの上部を上部添板３の所定位置に固定し、しかる後に側枠５ａの下部後面をボルト部材１３，１３の先端に当接させることによって達せられる。
　　　【００１２】
  前記傾斜調節具としてのボルト部材１３，１３はパチンコ機５を所定の角度に正しく傾斜させるという機能が与えられる。したがって、ボルト部材１３，１３を回動して前後に移動させることによってパチンコ機５の傾斜角度を自由に設定することができる。」
　
　ウ　図２は、以下のとおりのものである。
　
　
　エ　図３は、以下のとおりのものである。
　
　
　オ　図４は、以下のとおりのものである。
　
　
（４）本願出願前に頒布された刊行物である特開２００２−１８０６７号公報（以下「引用文献４」という。）には、以下の記載がある。
　
　ア　「【００２５】上記遊技機１を設置する島設備５０には、図４に示すように、遊技機１とほぼ同一寸法形状の開口部５１が形成された外枠取付台５２が設けられる。そして、島設備５０の各外枠取付台５２の開口部５１付近には、遊技機１から排出される遊技球を回収する排出球回収手段として、上面が開口した回収箱６１が設置され、一端が回収箱６１の底部開口に連通し他端が機外へ開放するよう排出管（図示せず）が延設される。
【００２６】また、島設備５０には、図５に示すように、遊技機１の後方に配設される回収樋７１を備えた循環機構が設けられる。各遊技機１に併設された排出球回収手段から送られる遊技球は、上記回収樋７１で受けて回収され、洗浄など適宜処理が施された後、新たに補給用遊技球として、別途設けられる供給機構へ送られ、各遊技機１へ供給される。」
　
　イ　図４及び図５は、以下のとおりのものである。
　
　
５　引用発明
　上記４（１）によると、引用文献１には、以下の発明（以下「引用発明」という。）が記載されていると認められる。
　
「複数のパチンコ機１１とその関連設備とを備え、関連設備がそれぞれ内設された島下段１０Ｃと島上段１０Ａとの間に、複数のパチンコ機１１を島長手方向に延びる列をなすよう配置して成る遊技機島１０において、
　島上段１０Ａの下端面をなすよう島長手方向に延びる支持基板４０に、島奥行方向に延びるガイド孔４１を所定間隔おきに複数設け、各ガイド孔４１に、それぞれ上下方向に移動可能に延びる上下位置調整用スクリュー４２を挿通させ、各上下位置調整用スクリュー４２の途中に、それぞれ可動ナット４３を螺合させ、各可動ナット４３に、各ガイド孔４１に沿ってそれぞれ移動可能に延びる奥行位置調整用スクリュー４４の一端側を押引き可能に連結し、各奥行位置調整用スクリュー４４の他端側を、支持基板４０に所定間隔おきに複数固設した各固定ナット４５にそれぞれ回転操作可能に螺合させ、各ガイド孔４１より下方に延出した各上下位置調整用スクリュー４２の下端間に、島長手方向に沿って延び各パチンコ機１１の上端に設けたスライダ１１ａが島奥行方向に回動可能かつ島長手方向に移動可能に係合する遊技機吊下用レール４６を架設し、
　支持基板４０の要所には、角度調整部材４８が上下方向に移動可能に螺合され、角度調整部材４８は、パチンコ機１１上端のスライダ１１ａより後端縁側を押圧し得るように配され、
　島下段１０Ｃは、パチンコ機１１が設置される前後の天板２２を具備し、
　天板２２の上層部は切り欠かれており、その上面にスプリング２３と上板２２ａが設けられ、
　島下段１０Ａの天板２２上に、弾性体としてのスプリング２３を介して上下方向に変位可能に載置レール２４設け、
　載置レール２４の水平部２４ａの下面にはベアリング２６が取付けられており、載置レール２４は、天板２２の上板２２ａ上を島長手方向及び島奥行方向にも移動できるようになっており、
　スプリング２３の弾性変形により、上板２２ａ上の載置レール２４が支持するパチンコ機１１下端は、その傾斜角度に応じて略水平面に対して適宜変位できるように設定され、
　パチンコ機１１の取付け、位置調整および傾斜角度の調整は、個々のパチンコ機１１毎に１台ずつ行うように構成された遊技機島１０。」
　
６　対比・判断
（１）本願発明１について
　ア　対比
　本願発明１と引用発明とを対比する。
　
（ア）引用発明の「パチンコ機１１」及び「遊技機島１０」は、それぞれ本願発明１の「パチンコ遊技機」及び「パチンコ遊技機の島設備」に相当する。
　
（イ）引用発明の「遊技機島１０」は、「複数のパチンコ機１１を島長手方向に延びる列をなすよう配置」するから、引用発明は、本願発明１の「複数のパチンコ遊技機が並設されたパチンコ遊技機の島設備」との特定事項を備えている。
　
（ウ）引用発明の「載置レール２４」は、「パチンコ機１１下端」を支持し、「天板２２の上板２２ａ上を島長手方向及び島奥行方向にも移動できるようになって」いるから、本願発明１の「載置手段」に相当し、引用発明は、本願発明１の「『前記パチンコ遊技機を載置可能とするとともに前後方向に摺動』する『載置手段を具備して構成され』」るとの特定事項を備えている。
　
（エ）引用発明は、「パチンコ機１１の取付け、位置調整および傾斜角度の調整は、個々のパチンコ機１１毎に１台ずつ行うように構成され」るから、本願発明１の「載置手段は、並設された各パチンコ遊技機に対応してそれぞれ独立して配設される」との特定事項を備えている。
　
（オ）以上によれば、両者は、
　
「複数のパチンコ遊技機が並設されたパチンコ遊技機の島設備において、前記パチンコ遊技機を載置可能とするとともに前後方向に摺動する載置手段を具備して構成され、当該載置手段は、並設された各パチンコ遊技機に対応してそれぞれ独立して配設されるパチンコ遊技機の島設備。」
　
で一致し、以下の点で相違するものと認められる。
　
（カ）本願発明１では、載置手段は、前後方向に摺動してパチンコ遊技機の傾斜角度を任意に調整可能であるのに対し、引用発明では、支持基板４０に角度調整部材４８が上下方向に移動可能に螺合されており、載置レール２４は、パチンコ遊技機の傾斜角度を任意に調整可能なものではない点（以下「相違点１」という。）。
　
（キ）本願発明１では、載置手段は、パチンコ遊技機と共に当該パチンコ遊技機から排出された遊技球を受け得るアウトボックスが固定されるのに対し、引用発明では、載置レール２４は、アウトボックスが固定されるか否か不明な点（以下「相違点２」という。）。
　
　イ　判断
　相違点１について検討する。
　
（ア）上記４（２）アによると、引用文献２には、遊技本体を内部で保持する外枠の下部に取り付けられる外枠取付け部材と、島設備の島枠の内部に取り付けられる島枠取付け部材と、前面から操作可能に設けられ操作することで外枠取付け部材を島枠取付け部材に対して前後方向に移動させる調整用操作部とを有する傾き調整機構が記載されている。
　
（イ）上記４（３）アによると、引用文献３には、パチンコ機設置島の下部添板の上面に各パチンコ機から排出されるアウト球を受け入れて１個ずつ電気的に検出しながら排出するアウト球タンク取付用の台板を固定し、該台板には、パチンコ機の側枠の下部後面に対向する垂直状の支持片を設けると共に、該支持片に傾斜調節具を取付け、パチンコ機の側枠の下部後面を傾斜調節具に当接させることにより各パチンコ機を所定角度に傾斜した状態で設置し得るように構成したパチンコ機設置島におけるパチンコ機の取付構造が記載されている。
　
（ウ）しかし、パチンコ遊技機を載置可能とするとともに前後方向に摺動してパチンコ遊技機の傾斜角度を任意に調整可能な載置手段を具備することは、引用文献２ないし引用文献４のいずれにも記載されていない。
　
（エ）したがって、相違点１に係る本願発明１の構成を当業者が容易に想到し得たものとすることはできない。
　
（オ）そして、本願発明１は、相違点１に係る構成を具備することにより、「パチンコ遊技機の設置作業及び角度調整作業時の作業性を向上させ得るとともに種々形態のパチンコ遊技機に対応が容易とされ、且つ、パチンコ遊技機の下面を前後させて傾斜角度を調整し得るので、当該パチンコ遊技機の強固な固定及び精度の高い角度調整を行わせることができる。」（段落【００１２】）、及び「特に、パチンコ遊技機を島設備に固設させた後の角度調整が容易とされることから、当該パチンコ遊技機の設置作業においてあまり熟練を必要とせず、遊技盤を容易に所望角度とすることができるとともに、遊技盤が外枠に取り付けられた状態のパチンコ遊技機全体の角度調整を行うことができるので、例えば角度調節器を遊技盤に押し当てた状態で角度調整を行うことができ、遊技盤を高精度に所望角度とすることができる。」（段落【００１３】）という明細書に記載の顕著な効果を奏するものである。
　
（カ）よって、相違点２について検討するまでもなく、本願発明１は、引用文献１ないし４に記載された発明に基いて、当業者が容易に発明をすることができたものであるとすることはできない。
　
（２）本願発明２及び３について
　本願発明２及び３は、本願発明１を引用してさらに限定したものであるから、上記本願発明１についての判断と同様の理由により、引用文献１ないし４に記載された発明に基いて、当業者が容易に発明をすることができたものとすることはできない。
　
７　むすび
　以上のとおり、本願発明１ないし３は、引用文献１ないし４に記載された発明に基いて、当業者が容易に発明をすることができたものとすることができないから、原査定の理由によっては、本願を拒絶することはできない。
　また、他に本願を拒絶すべき理由を発見しない。
　よって、結論のとおり審決する。